(57)【要約】ディスペンサ部材を容器（４）のネック（４１）に固定するための固定装置であって、ネックの頂上に受け台接触する働きをし、接触にはオプションとしてガスケット（５）を間に挟む場合もある、という環状受け台ウェブ（２０）と、ネックを囲む働きをする周囲スカート（２１）とが形成されたリング（２）を有し、スカートには、自由端（２２０）が形作られたタブ（２２）が形成されており、前記固定装置の特徴となるのは、各々のタブに１以上の変形領域（２２１、２２２、２２３）が設けられており、タブは、その自由端に軸方向のスラストが加わった時に内向きに変形する、ということである。
2004512240.tif 000002
【特許請求の範囲】
【請求項１】
ディスペンサ部材を容器（４）のネック（４１）に固定するための固定装置であって、
ネックの頂上に受け台接触する働きをし、接触にはオプションとしてガスケット（５）を間に挟む場合もある、という環状受け台ウェブ（２０）と、ネックを囲む働きをする周囲スカート（２１）とが形成されたリング（２）を有し、
スカートは自由端（２２０）を形作り、当該自由端より上の位置には少なくとも１つの変形領域（２２１，２２２，２２３）が形成されており、
スカートは、軸方向のスラストが自由端に加わると、変形領域において内向きに変形させられ、
スカート（２２）が外向きに変形するのを防ぐための防止手段（３）が設けられており、
特徴となるのは、
変形領域が内向きに変形した後、スカートの自由端が防止手段に接触する状態となることである、
という前記固定装置。
【請求項２】
変形領域は、スカートの壁の厚みを局所的に薄くした部分で成ること、
を特徴とする請求項１に記載の固定装置。
【請求項３】
変形領域は、外側グルーブ（２２１）と内側グルーブ（２２３）とで成ること、
を特徴とする請求項１又は２に記載の装置。
【請求項４】
変形領域は、スカートの自由端に軸方向にスラストが加えられた際に移動するのに適した、内側リブ（２２４）で成ること、
を特徴とする請求項１乃至３のいずれかに記載の装置。
【請求項５】
リブ（２２４）は２つの内側グルーブ（２２２，２２３）によって形作られていること、
を特徴とする請求項４に記載の装置。
【請求項６】
防止手段は、周囲スカート（２１）を囲み、これに接触する形で嵌められるトリムバンド（３）で成ること、
を特徴とする請求項１乃至５のいずれかに記載の装置。
【請求項７】
スカート（２１）には、長手方向スロットで分割されたタブが形成されていること、
を特徴とする請求項１乃至６のいずれかに記載の装置。
【請求項８】
タブ（２２）は変形しないスカートセグメント（２３）によって分割されており、タブ（２２）の自由端（２２０）はスカートセグメント（２３）よりも長く出ていること、
を特徴とする請求項７に記載の装置。
【請求項９】
流体用の貯蔵器を形成する本体を形作る容器（４）であって、前記本体には肩（４５）が形成され、当該肩からネック（４１）が延びており、前記ネックは径方向外向きに突き出て下側レッジ（４３）を形作る補強リム（４２）を備え、当該レッジは内向きに戻る形に伸びて、ネックの中でもより薄い、本体の肩（４５）につながる部分（４４）に合流する、という容器（４）と、
容器のネックに設置された、ポンプ又は弁などのディスペンサ部材と、そして、
ディスペンサ部材を容器のネックに固定するための固定装置（２，３）であって、ネックの頂上（４６）に受け台接触する働きをし、接触にはオプションとしてガスケット（５）を間に挟む場合もある、という環状受け台ウェブ（２０）と、ネックを囲む働きをする周囲スカート（２１）とが形成されたリング（２）を有し、スカートは自由端（２２０）を形作り、スカートが、底側レッジ（４３）のところに位置付けられた少なくとも１つの変形領域（２２１，２２２，２２３）を備えており、スカートは、その自由端が本体の肩に接触することによりレッジの下の所で内向きに変形させられる、という固定装置と、
を有する流体ディスペンサ。
【請求項１０】
変形領域は、スカートの壁の厚みを局所的に薄くした部分で成ること、
を特徴とする請求項９に記載の固定装置。
【請求項１１】
防止手段（３）が、スカートの外向きへの変形を防止するために設けられていること、
を特徴とする請求項９又は１０に記載の装置。
【請求項１２】
変形領域は、外側グルーブ（２２１）で成ること、
を特徴とする請求項９乃至１１のいずれかに記載の装置。
【請求項１３】
変形領域は、下側レッジ（４３）の下に受け止められる内側グルーブ（２２３）で成ること、
を特徴とする請求項９乃至１２のいずれかに記載の装置。
【請求項１４】
変形領域は、内向きにピボットすることでレッジ（４３）の下に嵌まり込む内側リブ（２２４）で成ること、
を特徴とする請求項９乃至１３のいずれかに記載の装置。
【請求項１５】
スカート（２１）には、長手方向スロットで分割されたタブが形成されていること、
を特徴とする請求項９乃至１４のいずれかに記載の装置。
【請求項１６】
タブ（２２）は変形しないスカートセグメント（２３）によって分割されており、タブ（２２）の自由端（２２０）は、タブが変形していない時にはスカートセグメント（２３）よりも長く延びているが、タブが変形した時には、本体の肩と実質的に接触すること、
を特徴とする請求項１５に記載の装置。
【請求項１７】
防止手段は、周囲スカート（２１）を囲み、これに接触する形で嵌まるトリムバンド（３）で成ること、
を特徴とする請求項９乃至１５のいずれかに記載の装置。
【発明の詳細な説明】
【０００１】
本発明は、容器のネックにディスペンサ部材を固定するための固定装置に関し、さらに広く言えば、これを固定部材として用いる流体ディスペンサに関する。
【０００２】
香水、化粧品、あるいは薬を容器に入れる場合、流体はしばしばディスペンサに入れられる。そうしたディスペンサは、貯蔵器を形成する容器と、ディスペンサ部材（ポンプ、弁、あるいは他の何らかのディスペンサヘッドという形をとるもの）とを有する。ディスペンサ部材を容器に固定する場合は、一般にそのネックに固定されるが、そのためには、容器のネックにディスペンサを密封状態で固定する固定装置が使用できることが知られている。
【０００３】
容器のネックに固定装置を留めることを可能にする技法は、いくつか存在する。公知の固定技法として主要なものは３種類ある。すなわち、ネジ留め、圧着、そしてスナップ留めである。ネジ留めを用いた固定の場合、ネックの外側壁にネジを設ける必要がある。圧着およびスナップ留めの技法では、スナップ留め、又は圧着による協働を可能にするのに適したプロファイルをネックの外側壁に持たせる必要がある。一般的には、補強用リムを備える形でネックを形成することが広く行われており、このリムは径方向外向きに突き出て下側レッジを形作り、レッジは内向きに延びて、その先には、ネックの中でリムより薄くなった部分がある。そうして、この薄くなった部分は貯蔵器の本体に形成された肩につながる。このような設計は、容器のネックに関しては、完全に従来からのものである。こうした補強用リムおよび下側レッジが設けられたネックでは、スナップ留めや圧着は下側レッジの下で実現することができる。
【０００４】
さらに限定して言えば、本発明はスナップ留めタイプの固定技法に関連する。補強用リムや下側レッジが設けられたネックへのスナップ留めによって固定を実現する装置は、すでに数多く存在している。そうしたタイプのスナップ留め固定装置では一般に、リングと周囲スカートとが用いられる。リングには、ネックの頂上側端部に受け止められる環状受け台ウェブが形成される。そして、ネックを囲む形で延びる周囲スカートは内向きに突き出したプロファイルを有し、当該プロファイルはネックの下側レッジと協働する。これにより、リングは、受け台ウェブを介してネックに接することで、スカートに形成されたプロファイルを介してレッジの下のところで、ネックに固定されることになる。上でも述べたように、スカートの内向きに突き出したプロファイルを下側レッジの下に持ってくるための技法は、いくつか存在する。特許公報：ＵＳ ４ ７７３ ５５３号に記述された技法の場合は、外部バンドが用いられている。これは、リングを囲む形で、さらに言えばスカートを囲む形ではめられ、それによって下側レッジの下でスカートを変形させる。スカートは、切れ目のない円筒という形で形成することもできるが、互いと横方向に並んだ周囲タブの形としてもよい。バンドをはめる前の状態では、スカートは、外向きに延びる突出部を有する。突出部は、下側レッジを覆う素材のクリープによって移動させられるが、これは、バンドをリングに当たるまで下向きに押し込むことで実現される。その技法では、バンドを用いて外部から、下側レッジの下の所でスカートの一部を内向きに変形させる。他にも技法は存在し、例えば、特許公報：ＦＲ ２，７６９ ８６０号に記述された技法がある。これに関わる固定システムにおけるリングのスカートは、内向きに突き出た切れ目のないビーズを備えており、当該ビーズは力を加えられることで、下側レッジの下にはまり込むことになる。そうした固定システムでは、リングを覆うバンドは、下側レッジの下における固定には関与しておらず、むしろ、純粋に美観上の目的で固定用リングを覆いかくす働きをする。こうした固定システムに関して留意すべき点は、内向きに突き出たスナップ留めビーズがネックの補強用リムの上を通過する際に、リングが広げられてしまうということである。その結果、トリムバンドは内向きに突き出たスナップ留めビーズの位置でリングに掛かってしまって、取り付けができなくなる。その特許公報：ＦＲ ２ ７６９ ８６０号では、リングに肩を形成するという対策をとって、スナップ留めビーズの所でバンドとリングのスカートとの間に間隔が空くようにしている。そのおかげで、スカートは、損傷したりトリムバンドに妨げられたりすることなしに、自由に外向きに変形することができる。
【０００５】
特許公報：ＵＳ ４ ７７３ ５５３号で説明されている第１のシステムによって実施される固定技法は、非常に優れたタンパープルーフな固定を実現するが、これは、リングのスカートが、それを覆うバンドによって下側レッジの下でロックされるからである。しかしながら、容器ネックにリングを設置する前に、リングにバンドを設置することはできない。加えて、特許公報：ＦＲ ２ ７６９ ８６０号のシステムによって実施される固定技法の場合は、明らかに、容器ネックにリングを設置するのに先立ってリングにトリムバンドを設置することが可能となってはいるが、その一方で、固定自体の信頼性が低い。下側レッジの下にスナップ留めビーズをロックすることになるものがないからである。そのため、多少の力を加えることで、ネックからリングを引き抜くことができてしまう。
【０００６】
本発明の目的は、従来技術に関する上述の問題点を解消することであり、そのために、確実かつタンパープルーフであり、しかも、トリムバンドがすでに配置された状態で、容器のネック上へ配置することができる、という固定装置を定義する。加えて、リングおよびバンドのいずれについてもセットバックを形成する必要がなく、そのため、バンドは、固定装置を容器のネック上に設置する処理の最中ですら、恒常的にスカートに接触した状態でいることができる。
【０００７】
特許公報：ＥＰ ０ ８０６ ２４８号では、補強部材を備えるネックにポンプ又は弁を固定するための固定装置が説明されている。その固定装置は、リング、バンド、そしてソケットを有する。リングにはスカートが形成されて、バンド内にはめ込まれている。また、ソケットも、リングのスカートの下の所でバンド内にはめ込まれている。こうした状態にある時、ソケットはバンドの下に突き出しており、その結果、容器のネックに装置を設置することで、ソケットの底側端部は容器の肩に受け台接触する形となり、それによって、バンド内部をリング方向に移動させるような力が加わる。バンド内部で上に上がるにつれ、ソケットは、バンドとスカートとの間に受け止められた状態にある面取り面によって、リングのスカートの底面側端部を変形させていく。最終状態では、スカートの底面側端部は、容器の補強部材の下の所で、内向きに大きく変形させられた状態となる。
【０００８】
つまり、当該従来技術の固定装置は、追加的な部品（すなわちソケット）を用いてスカートを内向きに変形させる。この追加部品については、製造（間違いなく成形処理による）だけでなく、バンド内に前もって配置しておく処理が必要となる。これには、特別な成形処理用ツール及び設置処理用ツールの使用が必要となり、そのため追加のコストが発生する。
【０００９】
本発明は、この従来技術の問題点を解消しようとするものである。
【００１０】
これまでに挙げた目的を達成するために、本発明が提供するのは、ディスペンサ部材を容器のネックに固定するための固定装置であって、ネックの頂上に受け台接触する働きをし、接触にはオプションとしてガスケットを間に挟む場合もある、という環状受け台ウェブと、ネックを囲む働きをする周囲スカートとが形成されたリングを有し、スカートは自由端を形作り、当該自由端より上の位置には少なくとも１つの変形領域が形成されており、スカートは、軸方向のスラストが自由端に加わると、変形領域において内向きに変形させられて、スカートが外向きに変形するのを防ぐ、という防止手段が設けられており、特徴となるのは、変形領域が内向きに変形した後、スカートの自由端が防止手段に接触する状態となることである。この構成では、防止手段によって外向きへの変形が禁じられているスカートは、内向きに変形するように強いられる。当該防止手段は、スカートを囲む状態で（さらに、好ましくはスカートに接触した状態で）はめ込まれるトリムバンドの形とすることができる。
【００１１】
特許公報：ＵＳ ４ ７７３ ５５３号の発明とは異なり、ここでのトリムバンドは、下側レッジの下でスカートを押す働きはせず、単に、それが外向きに変形するのを防止しているだけである。スカートが内向きに変形するのは、全く、その自由端に加わるスラストによる。
【００１２】
また、本発明は流体ディスペンサを提供し、当該ディスペンサは、流体用の貯蔵器を形成する本体を形作る容器であって、前記本体には肩が形成され、当該肩からネックが延びており、前記ネックは径方向外向きに突き出て下側レッジを形作る補強リムを備え、当該レッジは内向きに戻る形に伸びて、ネックの中でもより薄い、本体の肩につながる部分に合流する、という容器と、容器のネックに設置された、ポンプ又は弁などのディスペンサ部材と、そして、ディスペンサ部材を容器のネックに固定するための固定装置であって、ネックの頂上に受け台接触する働きをし、接触にはオプションとしてガスケットを間に挟む場合もある、という環状受け台ウェブと、ネックを囲む働きをする周囲スカートとが形成されたリングを有し、スカートは自由端を形作り、スカートが、底側レッジのところに位置付けられた少なくとも１つの変形領域を備えており、スカートは、その自由端が本体の肩に接触することによりレッジの下の所で内向きに変形させられる、という固定装置と、を有するものである。
【００１３】
また、１つの実施の形態として、変形領域は、スカートの壁の厚みを局所的に薄くした部分で成ること、としてもよい。加えて、スカートには、長手方向のスロットによって分割されたタブを形成することも考えられる。
【００１４】
また、変形領域は、外側グルーブと内側グルーブとで成ること、とすれば効果的である。内側に変形する間に、内部グルーブは下側レッジの下で受け止められることになり、それによって、リングは容器のネックに固定される。
【００１５】
特徴的な構成によれば、変形領域は内部リブを有し、当該リブは、タブの自由端に対して軸方向にスラストが加わった時に内向きにピボットするのに適したものである。さらに正確に言えば、この内部リブがネックの下側レッジの下にはめ込まれる状態になるのは、内向きのピボットだけによるのでなく、リングの残り部分を下に引っ張ることにもよる。これは、ネックの頂上側端部に受け台ウェブを強く押しつけるのに役立つ。そのため、ネックの頂上側端部において密閉を達成することができるが、ネックガスケットを使わないという選択もある。実用的な実施の形態では、リブは２つの内部グルーブによって形作られる。
【００１６】
また、別の特徴によれば、タブは変形しないスカートセグメントによって分割されており、タブの自由端は、タブが変形していない時にはスカートセグメントよりも長く延びているが、タブが変形した時には、本体の肩と実質的に接触する。
【００１７】
本発明については、非制限的な例としての本発明の実施の形態を示す添付図面を参照しながら、これ以降の部分でさらに詳しく説明する。
【００１８】
図１乃至３は、流体ディスペンサの頂上部分の右半分だけを示す図であり、容器ネックの右側部分が固定装置（右側部分のみ図示してある）とかみ合った状態で示す図である。当然のことだが、ネックおよび固定装置の左側の部分は、右側部分とはミラー対称でまったくの同一である。右側部分のみを拡大した形で図示しているのはそのためであり、細部がより明瞭に示される。
【００１９】
全体として、流体ディスペンサは、容器、ディスペンサ部材（例えば、ポンプや弁など）、そして、容器にディスペンサ部材を固定するための固定装置を有する。
【００２０】
容器４は完全に従来型のものであり、流体を格納するための貯蔵器が形成された本体を形作っている。その頂上側端部において、本体には肩４５が形成されており、肩からはネック４１が延びている。ネックには補強用リム４２が設けられており、当該リムは径方向外向きに突き出して下側にレッジ４３が形作られている。下側レッジは内向きに延びて、ネックの中でリムより薄い部分４４に合流する。部分４４は本体の肩４５につながっている。ネック４１の頂上側端部４６には、環状密封ビード４６０が形成されている。
こうした特徴を有する容器、フラスコ、ビンは数多く存在する。
【００２１】
本発明の固定装置は、ポンプ、弁、又はその他の何らかのディスペンサヘッドを容器４のネック４１に固定することを可能にする。
【００２２】
そのために、本固定装置は、ポンプ又は弁を確実に保持するためのリセス形成手段（図示せず）を備えたリングを有する。通常、リングにはスナップ留めリセスが形成され、その中に、ポンプ又は弁の本体に形成されたカラーがスナップ留めされる。スナップ留めリセスは、穴を有するリングの中央部分を形成しており、ポンプ又は弁の駆動ロッドがこの穴を通過する。スナップ留めリセス（図示せず）を囲む形で環状受け台ウェブ２０が延びており、当該ウェブは、ネックの頂上部分４６に対して受け台接触する形で働き（なお、オプションとして、ウェブと頂上部分の間にガスケット５を挿入する形としてもよい）、それによって、ガスケット５又はウェブ２０を密封ビーズ４６０に押し当てる。受け台ウェブ２０は、その外周において、下側では周囲スカート２１につながっており、上側ではソケット２４につながっている。スカート２１とソケット２４とは、図１乃至３に示すように、お互いと一直線に並ぶ形に配置することもでき、その場合は、リングの外壁が円筒を形成することになる。
【００２３】
周囲スカート２１の内径は、容器４のネック４１の上に嵌めることが可能な大きさである。このようになっていると、スカート２１をネック４１にかぶせた時、スカートはゆるい状態で、又は、わずかに隙間が空いた状態で装着されることになる。いかなる場合でも、ネック上へのスカートの設置が過度の摩擦によって妨げられる事態は防がなければならない。ネック４１には径のより大きい補強用リムが設けられているので、ここでのスカート２１の内径は、円筒状外側面４７を形成する補強用リム４２の外径にほぼ等しいか、又は、わずかに大きい、と言える。
【００２４】
周囲スカート２１には、さらにタブ２２が形成されている。各々のタブは、一方の端部でスカートにつながっているとともに、図に示すように下方向にも延びて、終端が自由端２２０となっている。タブ２２は、スカート２１の周囲全体にわたり、スロットで間隔をあけられた形で並んで延びていることとしてもよい。あるいは、変形例として、スカート２１の周囲全体にわたり、変形しないスカートセグメント２３が間に挿入された形で、等間隔に配置されることとしてもよい（図４に示すように）。タブ２２は、スカート２１のうち、受け台ウェブ２０につながっている切れ目のない部分から延びている。ネック上に設置される前の状態では、スカート２１、タブ２２、そしてスカートのセグメント２３のいずれについても、内径はネック４１の外径よりも小さくはない、そのため、スカート２１は、そのタブ及びそのスカートセグメントと共に、変形することなく、容器４のネック４１上の所定位置に配置することができる。
【００２５】
本発明では、それぞれのタブ２２に少なくとも１つの変形領域が設けられており、これによって、タブはレッジ４３の下での内向きに変形することができる。内向きに変形することで、タブ２２はスカート２１の内径を小さくし、その結果、各々のタブの一部が、ネック４１のうちレッジ４３の下にある、より薄い部分４４に受け入れられる形とすることができる。変形した状態でのタブ２２については、レッジ４３に接触するのが好ましい。そうなれば、受け台ウェブ２０又はガスケット５がネック４１の頂上部４６に対して強く押し付けられることになり、結果として、その位置で密封が実現するからである。
【００２６】
本発明においてタブ２２が変形するのは、それらの自由端２２０に対して軸方向に加わるスラストによってである。これは、固定装置を容器のネックに設置する作業の間に、タブ２２の自由端２２０が容器４の肩４５と接触する時に生じる。図１では、タブ２２はまだ、容器のネックに完全には嵌まっていない。すなわち、それらの自由端２２０と肩４５との間には、まだ間隔が空いている。図２でも、リング２は、まだネック４１上の最終位置にまでは達していないが、タブ２２の自由端２２０は、すでに肩４５に接触している。ここから、リング２を軸方向下向きに押し続ければ、すでにタブ２２は自由端２２０を介して肩４５に受け台接触の状態にあるので、タブに変形を生じさせることができる。その状態は図３に見られる。ここで、ウェブはネックの頂上部４６に、直接に、あるいはガスケット５をはさんで、密封状態で受け台接触しており、タブ２２はレッジ４３の下で内向きに変形する。当然、内向きに変形することによって、タブ２２の高さは低くなる。そのため、タブ２２については、スカートセグメント２３よりも長くなるように形成しておく必要がある（図４で示される実施の形態を選択した場合）。図１および２に示すように延びた状態にある時は、タブ２２の自由端２２０は、スカートセグメント２３の自由端２３０よりも更に下まで延びている。ただし、図３に示すように変形してしまうと、タブ２２の自由端２２０は、スカートセグメント２３の自由端２３０とほぼ同じ高さの位置にくる。
【００２７】
タブを変形させて、それらがレッジ４３に押し当てられる形で接触するようにすることは、適当な変形領域が存在すれば可能である。図に示す実施の形態では、変形領域は選択的折り曲げ領域を有するヒンジの形をとっている。折り曲げ領域又は変形領域は、タブの所で、スカートの壁の厚みを局所的に又は周辺において小さくすることにより得られる。外側グルーブ２２１は、レッジ４３によって形成される角にほぼ対応する角度で、タブ２２を内向きに折り曲げることを可能とするものである。内向きのへの折り曲げを容易にするためには、各々のタブ２２に更に、内側グルーブ２２２を設ければよい。加えて、タブ２２がほぼ垂直に保たれるよう、各々のタブに対して、内部グルーブ２２２の下側の位置に追加の内側グルーブ２２３を設けてある。第２の内側グルーブ２２３により、タブ２２は再び折れ曲がって、スカート２１の方向とほぼ同じ方向に向くことができる。図３を見ると、各々のタブ２２においてグルーブ２２３より下に位置する底側部分は、下に行くにつれて多少外向きに傾斜している。２つの内側グルーブ２２２と２２３との間で、タブ２２には、レッジ４３に対して押圧接触するのに適した内側リブ２２４が形成されている。これらのグルーブおよびリブの機能は、タブを内向きに変形させて、その一部がネックのレッジ４３に押圧接触できるようにする、というものである。
【００２８】
また、効果的かつ好ましい点として、レッジ４３下でのタブ２２の変形により、リング２に対して軸方向の牽引力が加わり、その結果、受け台ウェブ２０がネック４１の頂上部４６に押し付けられることになる。この軸方向の牽引力は、タブ２２が変形してレッジ４３の下に受け台接触することでもたらされる。例えば、タブが内側グルーブ２２３において折り曲がり、その後直ちにレッジ４３の下に収まることで、グルーブ２２１および２２２が下方向に移動し、それによって、この下向きの軸方向牽引力をもたらす。そうして、リブ２２４は、レッジ４３の下でピボットポイントの役目を果たし、ウェブがネック４１の頂上部４６に接するよう下向きにウェブを引っ張る。
【００２９】
本発明における固定装置は、リング２に加えて更に、周囲スカート２１を囲み、これに接触する形で嵌まるバンド３を含む点が効果的である。バンド３は本体３０を有し、本体３０には底面側端部３１と頂上側端部３２とが形成されており、頂上側端部３２はリングのソケット２４にかぶさる形で内向きに折り曲がり、これに接している。このバンド３によって、リング２に美観上魅力的なトリム（装飾）を提供することができる。本発明では、このバンド３はさらに追加的な機能をも果たす。すなわち、スカート２１のタブ２２が外向きに変形するのを防止する働きをしている。これにより、タブ２２は、ネックのレッジの下で内向きに変形するように制限される。こうした防止部材としての機能を果たすために、バンド３は、前記タブが図１および２に示すように伸びた状態ある時は、単に、タブ２２と接触した状態でスカート２１に沿って延びているだけである。タブ２２の底側端部２２０が、図２に示すように、肩４５に接触する状態になっても、バンド３はまだタブ２２に接触している。そのため、タブ２２は外向きに変形することはできない。リング２を押下し続ければ、タブ２２を制限して、図３に示すような形で内向きに変形させて、バンド３から離れるようにすることができる。最終位置では、バンド３の底面側端部３１は、タブ２２の底側端部２２０とほぼ同じ高さの（すなわち、肩４５の近傍に）位置にくる。この高さでは、タブがバンドと接触し、それによって、バンドはタブが外向きの進むのを防止する。このような、タブの自由端が外向きに進むのを防止する停止機能は、肩によっても実現でき、例えば、受け台プロファイルを肩に設ければよい。
【００３０】
留意すべきは、バンド３がタブ２２の変形には直接関与せず、それどころか、レッジ４３下へのタブのロックさえ行わない、という点である。加えて、図１乃至３に示すように、バンド３をリング２に予めはめ込んだ状態で、リング２を容器のネックに設置することができる、という点にも留意すべきである。また、リング２については、ネックにはめ込む際、延ばす必要も広げる必要もないので、組立て作業を通じてリングの外径は変化することがない。加えて、リングのうち容器のネックへの固定を実現する部分は、リングが容器のネック上の最終位置にきた時にだけ変形する。
【００３１】
本実施の形態では、タブが外向きに変形するのを防止するために用いられる手段は、トリムバンド３によって形成されている。当然のことながら、同じ機能を果たす他の実施の形態も考えられ、例えば、直接的に固定用リング２によって、または容器４によっても、防止手段は実現又は形成できる。
【００３２】
図５はリングスカートの変形例を示す。これらはタブを備えない形で形成されている。そして、この場合はさらに、スカート２１はその周囲全体にわたり、ウィンドウ２２５以外の切れ目がない。ウィンドウ２２５は変形領域２２１の所に位置づけられており、変形領域はグルーブ及び／又はリブの形とすることができるが、より一般的には、スカートにおいて壁の厚さが局所的に変化する部分、という形をとる。ウィンドウ２２５を設けることによって、変形領域２２１のうちウィンドウの間に位置するセクションは、お互いに対する妨害や干渉なしに自由に内向きに変形することができる。
【００３３】
本発明によって得られる固定用システムは、１つ又は２つの部分（リング単独、又はリング＋バンド）でなり、安定的かつ恒久的な固定を実現し、そして、装着が特に簡単である。ネックに固定するための技法は、容器の肩に対する受け台接触を用いて部品又は部品の１部をネックのレッジの下で移動又は変形させる、というものである。
【図面の簡単な説明】
【図１】本発明の流体ディスペンサを示す部分縦断面図であって、ネックに取り付ける途中の状態を示す図である。
【図２】本発明の流体ディスペンサを示す部分縦断面図であって、ネックに取り付ける途中の状態を示す図である。
【図３】図１と同様の図であり、本発明の固定装置がネックに固定された状態を示す図である。
【図４】図１乃至３に示す固定装置が有するスカートの内側を示す平面図である。
【図５】図４と同様の図であり、スカートの変形例を示す図である。
【図１】
2004512240.tif 000003
【図２】
2004512240.tif 000004
【図３】
2004512240.tif 000005
【図４】
2004512240.tif 000006
【図５】
2004512240.tif 000007
【国際公開パンフレット】
2004512240.tif 000008
2004512240.tif 000009
2004512240.tif 000010
2004512240.tif 000011
2004512240.tif 000012
2004512240.tif 000013
2004512240.tif 000014
2004512240.tif 000015
2004512240.tif 000016
2004512240.tif 000017
2004512240.tif 000018
2004512240.tif 000019
2004512240.tif 000020
2004512240.tif 000021
2004512240.tif 000022
2004512240.tif 000023
2004512240.tif 000024
【国際調査報告】
2004512240.tif 000025
2004512240.tif 000026
2004512240.tif 000027
2004512240.tif 000028
2004512240.tif 000029
2004512240.tif 000030